(57)【要約】【解決手段】本発明は、デバイス容器と、表面に取り付けるための支持部と、を解放可能に接続する接続装置を提供する。接続装置は、一組の間隔の空いた支持面を含む、支持部と関連する第１接続結合部と、一組の間隔の空いた支持面係合面を含む、デバイス容器と関連する第２接続結合部と、を備える。支持面係合面の第１面は、支持面の第１面と取り外し可能に係合し、これによってデバイス容器の重量の少なくとも一部を支持し、支持面係合面の第２面は、支持面の第２面と取り外し可能に係合し、第１および第２接続係合部を確実に保持する。本発明はまた、表面に隣接するデバイスを収納する収納システムを提供する。収納システムは、表面に取り付けられる支持部と、デバイスを受け入れる少なくとも一つのデバイス容器と、を備え、デバイス容器が支持部に解放可能に接続される。本発明の好適な形態は、携帯型動力工具、手工具、これらのパーツおよびアクセサリを収容するデバイス容器を含む。【選択図】図８
2013520324.tif 000002
【特許請求の範囲】
【請求項１】
デバイス容器と、表面に取り付けるための支持部と、を解放可能に接続する接続装置であって、
一組の間隔の空いた支持面を含む、前記支持部と関連する第１接続結合部と、
一組の間隔の空いた支持面係合面を含む、前記デバイス容器と関連する第２接続結合部と、を備え、
前記支持面係合面の第１面は、前記支持面の第１面と取り外し可能に係合し、これによって前記デバイス容器の重量の少なくとも一部を支持し、
前記支持面係合面の第２面は、前記支持面の第２面と取り外し可能に係合し、前記第１および第２接続係合部を確実に保持する
ことを特徴とする接続装置。
【請求項２】
前記間隔の空いた支持面は外向きに湾曲し、前記間隔の空いた支持面係合面は内向きに湾曲することを特徴とする請求項１に記載の接続装置。
【請求項３】
前記一組の間隔の空いた支持面の間の最大全体寸法が、前記一組の間隔の空いた支持面係合面よりも大きいことを特徴とする請求項１または２に記載の接続装置。
【請求項４】
前記支持面係合面の第２面が弾性のある屈曲可能な材料で形成されることを特徴とする請求項１ないし３のいずれかに記載の接続装置。
【請求項５】
前記支持部は、表面に取り付けられるとき水平方向に延びるように構成された細長い部材であり、複数の水平方向に隣接する容器を該支持部に解放可能に接続するための、複数の水平方向に隣接する第１接続結合部を備えることを特徴とする請求項１ないし４のいずれかに記載の接続装置。
【請求項６】
前記デバイス容器の少なくとも一つが携帯型工具の容器であることを特徴とする請求項１ないし５のいずれかに記載の接続装置。
【請求項７】
表面に隣接するデバイスを収納する収納システムであって、
前記表面に取り付けられる支持部と、
デバイスを受け入れる少なくとも一つのデバイス容器と、を備え、
前記デバイス容器が前記支持部に解放可能に接続されることを特徴とする収納システム。
【請求項８】
前記支持部は、表面に取り付けられるとき水平方向に延びるように構成された細長い部材であり、複数の水平方向に隣接する容器を該支持部に解放可能に接続するための、複数の水平方向に隣接する第１接続結合部を備えることを特徴とする請求項７に記載の収納システム。
【請求項９】
前記デバイス容器は、ベース部と、該ベース部に接続された閉鎖部材とを備え、
前記ベース部は、前記デバイスを受け入れる内部空間を有し、
前記閉鎖部材は、前記内部空間へアクセスさせる開放位置と該内部空間を包囲する閉鎖位置との間で前記ベース部に対して移動可能であることを特徴とする請求項７または８に記載の収納システム。
【請求項１０】
前記デバイス容器は、該容器の内部空間内にデバイス結合部材を備え、
前記結合部材は、デバイスを受け入れデバイスの外面と一致し結合部材に対するデバイスの移動を規制するような形状にされた凹部を画成するデバイス結合面を備えることを特徴とする請求項９に記載の収納システム。
【請求項１１】
前記結合部材は、前記容器の内部空間内で該容器に解放可能に接続されることを特徴とする請求項１０に記載の収納システム。
【請求項１２】
前記デバイス容器に解放可能に接続され、前記デバイスとともに使用するアクセサリを収容するデバイスアクセサリ容器をさらに備えることを特徴とする請求項７ないし１１のいずれかに記載の収納システム。
【請求項１３】
前記支持部に対して接続可能な棚部材をさらに備えることを特徴とする請求項７ないし１２のいずれかに記載の収納システム。
【請求項１４】
前記棚は、解放可能に接続されるか一体の光源を備えることを特徴とする請求項１３に記載の収納システム。
【請求項１５】
前記棚に解放可能に搭載される搭載部と、一つ以上の物品保持凹部を有する物品キャリア部材と、を有する一つ以上の物品容器をさらに備え、
前記物品キャリア部材は前記搭載部に滑動可能に接続され、前記一つ以上の物品保持凹部を包囲する閉鎖位置と、該一つ以上の物品保持凹部へアクセスさせる開放位置との間でスライド可能であることを特徴とする請求項１３または１４に記載の収納システム。
【請求項１６】
前記棚に解放可能に接続される複数の電気ソケットコネクタを有する配電盤をさらに備えることを特徴とする請求項１３ないし１５のいずれかに記載の収納システム。
【請求項１７】
前記支持部に対して解放可能に接続されるカバーをさらに備え、
前記カバーは、前記支持部に接続されたとき前記デバイス容器を包囲する閉鎖位置と、前記支持部に接続されたとき前記デバイス容器へアクセスさせる開放位置との間で、前記支持部に対して枢動することを特徴とする請求項７ないし１６のいずれかに記載の収納システム。
【請求項１８】
前記デバイス容器のうち少なくとも一つは、ラウドスピーカーで音源を再生する電子システムを含むオーディオ装置を備えることを特徴とする請求項７ないし１７のいずれかに記載の収納システム。
【請求項１９】
電子表示装置とユーザインタフェースとを有し、コンピュータネットワークに接続可能であり、データをダウンロード可能である電子デバイスモジュールをさらに備えることを特徴とする請求項７ないし１７のいずれかに記載の収納システム。
【請求項２０】
前記デバイス容器が携帯型工具の容器であることを特徴とする請求項７ないし１９のいずれかに記載の収納システム。
【発明の詳細な説明】
【技術分野】
【０００１】
本発明は、携帯型動力工具などの工具の収納システムに関する。本発明はまた、携帯型動力工具などの工具を受け入れて運搬するための容器またはケースに関する。
【背景技術】
【０００２】
動力工具は、購入後に包装から工具を取り出した後に廃棄される包装で販売されることが多い。このような包装は、販売前の輸送および保管中に工具を保護するボール紙製および／またはポリマー製のコンテナで形成されることがある。一部の動力工具は、動力工具の耐用年数にわたり動力工具を収納するコンテナとしての使用が意図されている収納ケースで包装されている。この種のケースはベースと閉鎖部とで形成することができる。ベースと閉鎖部はヒンジによって互いに接続される。ベースは、動力工具と、充電器、バッテリー、工具ビットなどの動力工具に関連する他のアクセサリとを受け入れるための一つ以上の凹部を備えてもよい。
【０００３】
動力工具を包装し市場に出し顧客に販売する多種多様な方法があることを考えると、収納ケースが付いているものもあれば付いていないものもある様々な動力工具を個人が所有することは珍しくない。したがって、動力工具ケースに収納されていたり、ボール紙、棚、箱またはコンテナにゆとりを持たせて収納されていたりといった場当たり的な方法で個人が動力工具を収納することは珍しくない。
【発明の概要】
【発明が解決しようとする課題】
【０００４】
動力工具の原価がこれまで低下しまた低下し続けているので、国内環境では、広範囲の機能を実行するために広範囲の動力工具を個人が所有することは珍しくない。例えば、携帯型コードレス動力ドリル、携帯型交流高速ドリル、携帯型ハンマードリル、携帯型アングルグラインダー、携帯型丸鋸、携帯型ジグソー、携帯型ディスクサンダーおよび／またはベルトサンダーのうち任意の一つまたは複数を個人が所有していることは珍しくない。これらの動力工具は、動力工具を永久的に保管するためのケースで包装されることもあれば使い捨てのコンテナで包装されることもあるので、収納ケースに収められていたり、ボール紙、棚、箱、コンテナにゆとりを持たせて収納されていたりするこのような工具を、ガレージや物置などの場所で整理されない状態で個人が保管しているのが普通である。一般に、国内環境での動力工具の収納は場当たり的であり整理されていない。
【課題を解決するための手段】
【０００５】
第１の態様において、本発明は、デバイス容器と、表面に取り付けるための支持部と、を解放可能に接続する接続装置を抵抗する。接続装置は、
一組の間隔の空いた支持面を含む、支持部と関連する第１接続結合部と、
一組の間隔の空いた支持面係合面を含む、デバイス容器と関連する第２接続結合部と、を備え、
支持面係合面の第１面は、支持面の第１面と取り外し可能に係合し、これによってデバイス容器の重量の少なくとも一部を支持し、
支持面係合面の第２面は、支持面の第２面と取り外し可能に係合し、第１および第２接続係合部を確実に保持する。
【０００６】
一実施形態では、間隔の空いた支持面は外向きに湾曲し、間隔の空いた支持面係合面は内向きに湾曲する。
【０００７】
別の実施形態では、一組の間隔の空いた支持面の間の最大全体寸法が、一組の間隔の空いた支持面係合面よりも大きい。
【０００８】
さらに別の実施形態では、支持面係合面の第２面が弾性のある屈曲可能な材料で形成される。この実施形態の利点は、第１接続結合部と第２接続結合部との間をスナップフィット式に係合することによって、デバイス容器を支持部に確実かつ安全に取り付けられることである。
【０００９】
別の実施形態では、支持部は、表面に取り付けられるとき水平方向に延びるように構成された細長い部材であり、複数の水平方向に隣接する容器を支持部に解放可能に接続するための、複数の水平方向に隣接する第１接続結合部を備える。
【００１０】
好適な実施形態では、デバイス容器の少なくとも一つが携帯型工具の容器である。
【００１１】
別の態様では、本発明は、表面に隣接するデバイスを収納する収納システムを提供する。収納システムは、
表面に取り付けられる支持部と、
デバイスを受け入れる少なくとも一つのデバイス容器と、を備え、
デバイス容器が支持部に解放可能に接続される。
【００１２】
本発明の利点は、ガレージ、小屋または他の部屋の壁面などの表面に隣接して、特に携帯型動力工具である動力工具などのデバイスを整理して収納するシステムを提供することである。この点において、本発明は、携帯型動力工具などのデバイスをそれぞれ受け入れる一つ以上の容器を提供する。この一つ以上の容器は支持部に解放可能に接続することができ、支持部を壁面に取り付けることによって、壁面に携帯型動力工具などのデバイスを整理され魅力的な態様で収納し、動力工具へのアクセスを容易にすることができる。別の利点は、収納システムが、輸送中に動力工具などのデバイスを収容し固定する可搬の容器を提供することである。
【００１３】
さらに別の形態では、支持部は、表面に取り付けられるとき水平方向に延びるように構成された細長い部材であり、複数の水平方向に隣接する容器を支持部に解放可能に接続するための、複数の水平方向に隣接する第１接続結合部を備える。
【００１４】
一形態では、デバイス容器は、ベース部と、ベース部に接続された閉鎖部材とを備え、ベース部は、デバイスを受け入れる内部空間を有し、閉鎖部材は、内部空間へアクセスさせる開放位置と内部空間を包囲する閉鎖位置との間でベース部に対して移動可能である。
【００１５】
一形態では、デバイス容器は、容器の内部空間内にデバイス結合部材を備え、
結合部材は、デバイスを受け入れデバイスの外面と一致し結合部材に対するデバイスの移動を規制するような形状にされた凹部を画成するデバイス結合面を備える。
【００１６】
別の形態では、結合部材は、容器の内部空間内で容器に解放可能に接続される。
【００１７】
収納システムが、デバイス容器と一体に形成され、デバイスとともに使用するアクセサリを収容するデバイスアクセサリ容器をさらに備えてもよい。
【００１８】
収納システムが、デバイス容器に解放可能に接続され、デバイスとともに使用するアクセサリを収容するデバイスアクセサリ容器をさらに備えてもよい。
【００１９】
一形態では、デバイスアクセサリ容器は、デバイス容器に解放可能に取り付けられる取付部と、一つ以上のアクセサリ保持凹部を有するアクセサリキャリア部材と、を備える。アクセサリキャリア部材は取付部に滑動可能に接続され、一つ以上のアクセサリ保持凹部を包囲する閉鎖位置と、一つ以上のアクセサリ保持凹部へアクセスさせる開放位置との間でスライド可能である。
【００２０】
収納システムが、支持部に対して接続可能な棚部材をさらに備えてもよい。
【００２１】
一実施形態では、棚は、支持部が壁面に水平に取り付けられ棚が支持部に接続されたときに水平になる平坦面を有している。
【００２２】
一実施形態では、棚は、解放可能に接続されるか一体の光源を備える。
【００２３】
さらに別の実施形態では、収納システムが、棚に解放可能に搭載される搭載部と、一つ以上の物品保持凹部を有する物品キャリア部材と、を有する一つ以上の物品容器をさらに備え、物品キャリア部材は搭載部に滑動可能に接続され、一つ以上の物品保持凹部を包囲する閉鎖位置と、一つ以上の物品保持凹部へアクセスさせる開放位置との間でスライド可能である。
【００２４】
一実施形態では、収納システムが、棚に解放可能に接続される複数の電気ソケットコネクタを有する配電盤をさらに備える。
【００２５】
収納システムが、支持部に対して解放可能に接続されるカバーをさらに備え、カバーは、支持部に接続されたときデバイス容器を包囲する閉鎖位置と、支持部に接続されたときデバイス容器へアクセスさせる開放位置との間で、支持部に対して枢動する。
【００２６】
好適な形態では、デバイス容器のうち少なくとも一つは、ラウドスピーカーで音源を再生する電子システムを含むオーディオ装置を備える。
【００２７】
収納システムが、電子表示装置とユーザインタフェースとを有し、コンピュータネットワークに接続可能であり、データをダウンロード可能である電子デバイスモジュールをさらに備えてもよい。
【００２８】
好適な形態では、デバイス容器が携帯型工具の容器である。別の形態では、デバイスは携帯型電動デバイスである。
【００２９】
別の態様では、本発明は、表面に取り付けられた支持部と解放可能に接続するように構成された、デバイスを収容するデバイス容器を提供する。デバイス容器は、
ベース部と、ベース部に接続された閉鎖部材とを備え、ベース部は、デバイスを受け入れる内部空間を有し、閉鎖部材は、内部空間へのアクセスを提供する開放位置と、内部空間を包囲する閉鎖位置との間で、ベース部に対して移動可能であり、
ベース部と関連し支持部と協働してデバイス容器を支持部に解放可能に接続する接続部を備える。
【００３０】
一形態では、接続部は、デバイス容器が支持部に接続されるとき、支持部の開口部内に受け入れ可能であり開口部に隣接する支持面に接触するフランジを備える。これによって、フランジと支持面の間の接触によりデバイス容器が少なくとも部分的に支持される。
【００３１】
デバイス容器は、ベース部または閉鎖部材に接続され、デバイス容器が支持部から取り外されたときにデバイス容器を運ぶためのハンドルをさらに備えてもよい。
【００３２】
一形態では、ベース部は、ベース部の内部空間内に配置された複数の交換可能なデバイス結合部のうち任意の一つのクリップ受け入れ部またはクリップとそれぞれ解放可能に接続するクリップまたはクリップ受け入れ部を備える。各デバイス結合部は、一つのタイプのデバイスを受け入れデバイスの外面に一致し、結合部材に対するデバイスの移動を規制する形状にされている。
【００３３】
さらに別の形態では、閉鎖部材はベース部に枢動可能に接続され、内部空間へのアクセスを提供する開放位置と、内部空間を包囲する閉鎖位置との間で、ベース部に対して枢動する。
【００３４】
好適な形態では、デバイスは携帯型動力工具である。別の形態では、デバイスは携帯型電動デバイスである。
【００３５】
以下の図面を参照して、本発明をより詳細に説明する。以下の図面は、携帯型動力工具の収納システムと動力工具を収容する容器の形態で本発明の実施形態を表している。便宜上、この実施形態を参照して本発明を以下で詳細に説明する。しかしながら、携帯型動力ドリル、携帯型動力のこぎり、携帯型動力ねじ回し、携帯型ハンマードリル、携帯型アングルグラインダー、携帯型丸鋸、携帯型動力サンダー、発光デバイスなどの他の携帯型電気装置とともに使用するのに本発明が適している場合があることを理解すべきである。
【図面の簡単な説明】
【００３６】
【図１】携帯型動力工具をそれぞれ受け入れる複数の工具容器と、壁の形の表面に取り付けられる支持部と、を備える携帯型動力工具用の収納システムの斜視図であって、工具容器が支持部に接続されることで取り外し可能に壁に取り付けられる様子を示す図である。
【図２】図１の収納システムの支持部と一つの工具容器の斜視図である。
【図３Ａ】図１の収納システムの支持部の斜視図である。
【図３Ｂ】図１の収納システムの支持部の正面プレートの斜視図である。
【図３Ｃ】図１の収納システムの支持部のベースプレートの斜視図である。
【図３Ｄ】支持部の結合領域の出っ張り（ledge）、開口部および支持面を備える、図１の収納システムの支持部の平面図である。
【図３Ｅ】支持部の結合領域の第２出っ張り、第２開口部および第２支持面を備える、図１の収納システムの支持部の底面図である。
【図４】図１の収納システムの支持部、一つの工具容器、一つの工具アクセサリ容器の斜視図である。
【図５】図１の収納システムの支持部、一つの工具容器、一つの工具アクセサリ容器と、支持部に対して壁に接続されて壁に取り付けられる棚部材の斜視図である。
【図６】図１の収納システムの支持部および複数の工具容器と、複数の工具アクセサリ容器と、支持部に対して接続される棚部材の斜視図である。
【図７】図１の収納システムの支持部および複数の工具容器と、複数の工具アクセサリ容器と、支持部に対して接続される棚部材と、支持部に接続されるカバーの斜視図であり、カバーが固定部材とシャッタ部材とを備え、シャッタ部材は固定部材に枢動可能に取り付けられ、支持部に接続された工具容器および工具アクセサリ容器へのアクセスを可能にする開放位置にシャッタ部材が枢動する様子を示す図である。
【図８】図１の収納システム、図７のカバー、配電盤モジュール、支持部に接続されたオーディオモジュールの斜視図であり、配電盤モジュールが電気ソケットコネクタとそこから延びる延長リード線とを備える様子を示す図である。
【図９】図７および８のカバーを備え、カバーが閉鎖位置にある、図１の収納システムの斜視図である。
【図１０】支持部に対して接続された図５−９の棚部材を備える図１の収納システムの斜視図であり、作業台を照射するための光源を棚部材が有している様子を示す図である。
【図１１】支持部と、工具容器と、支持部に対して接続された図５−１０の棚部材とを備える図１の収納システムの斜視図であり、ペンキ缶の形で物品を支持する実質的に平坦で上方を向く水平面を棚部材が支持する様子を示す図である。
【図１２】携帯型動力工具を受け入れる一つの工具容器と、壁の形の表面に取り付けられる支持部とを備える別の実施形態に係る携帯型動力工具用の収納システムの斜視図であり、工具容器が支持部に接続されることで取り外し可能に壁に取り付けられる様子を示す図である。
【図１３】図１２の収納システムの支持部と工具容器の裏側の斜視図である。
【図１４】図１２の収納システムの工具容器の側面図である。
【図１５】図１２の収納システムの工具容器の斜視図である。
【図１６】図１２の収納システムの工具容器の別の斜視図である。
【図１７】図１２の収納システムの支持部の斜視図である。
【図１８】複数の工具容器と、複数の工具アクセサリ容器と、支持部に対して接続される棚部材と、一組の配電盤モジュールと、棚部材に解放可能に接続される光源と、支持部に接続されるカバーと、を取付可能である支持部を備える別の実施形態の斜視図であり、カバーが固定部材とシャッタ部材とを備え、シャッタ部材は固定部材に枢動可能に取り付けられ、支持部に接続された工具容器および工具アクセサリ容器へのアクセスを防止する閉鎖位置にシャッタ部材が枢動する様子を示す図である。
【図１９】図１８の実施形態の斜視図であり、支持部に接続された工具容器および工具アクセサリ容器へのアクセスを可能にする開放位置にシャッタ部材が枢動する様子を示す図である。
【図２０】カバーを取り除いたときの、支持部と、支持部に対して接続される棚部材と、一組の配電盤モジュールと、棚部材に接続可能な光源とを備える、図１８の実施形態の斜視図である。
【図２１】カバーを取り除いたときの、支持部と、棚部材と、一組の配電盤モジュールと、棚部材に解放可能に接続される光源とを備える、図１８の実施形態の斜視図である。
【図２２】支持部と、棚部材と、一組の配電盤モジュールの一方と、棚部材から取り外された光源とを備える、図１８の実施形態の斜視図である。
【発明を実施するための形態】
【００３７】
図１−２２を参照すると、本発明に係る収納システム１０の実施形態が示されている。収納システム１０は、壁または別の垂直面であってよい表面１５に取り付けるように構成された支持部２０と、支持部２０に解放可能に接続される少なくとも一つのデバイス容器４０と、を備える。収納システム１０は、概して、携帯型動力工具５または他の形態の電動デバイスを含んでもよいデバイスを、壁面などの表面１５に隣接する位置で整理された状態で収納する。システム１０は、事実上あらゆる種類のデバイスの収納に適しているが、以下では、携帯型動力工具５の収納への適合性の文脈で本発明を説明するのが都合がよい。収納システム１０は、動力工具５へのアクセスが容易であり、また、収納場所から離れて動力工具５の一つまたは複数を運搬することを容易にする。
【００３８】
図３Ａ−３Ｅを参照すると、支持部２０は、第１端部２１から第２端部２３へと延びる全体的に細長い部材である。支持部２０は、第１端部２１から第２端部２３に延びる全体的に平坦で細長いベースプレート２２と、一つ以上の締結具を貫通して受け入れる複数の開口部２８などの表面１５への取付手段と、を備える。ベースプレート２２には、第１端部２１から第２端部２３に延びる細長い正面プレート２４が取り付けられる。支持部２０が表面１５に取り付けられると、正面プレート２４が表面１５と反対側を向き、ベースプレート２２が表面１５の方を向く。ベースプレート２２と正面プレート２４は、表面１５に支持部２０が取り付けられたとき、ベースプレート２２と正面プレート２４が略水平方向に延びるように構成される。支持部２０は、以下で説明するような態様で一つ以上の任意の容器４０の第２結合部８０と結合するように構成された結合部７０を備える。
【００３９】
第１結合部７０は、第１端部２１から第２端部２３に支持部２０に沿って連続的に延びる。この結果、支持部２０が表面１５に取り付けられると、図１、６−８に示すように、結合ゾーン７０が水平方向に連続的に延び、複数の水平方向に隣接する容器４０と解放可能に接続される。第１結合部７０は、第１端部２１から第２端部２３へと水平方向に正面プレート２４に沿って連続的に延びるレッジ（ledge：出っ張り）７２を備える。レッジ７２は全体として上向きであり、単一の細長い貫通開口部７５を備えるか、またはレッジ７２の全長に沿って複数の開口部を備えてもよい。レッジ７２は、正面プレート２４と開口部７５の同じ側にある、ベース２２とは反対の開口部７５の側に、開口部７５と直接隣接する支持面２２を備える。レッジ７２は、第１端部２１から第２端部２３に延び、支持部２０が表面１５に水平に取り付けられたとき、正面プレート２４に沿って水平方向に配置される。レッジ７２は、ベースプレート２２の下縁２５および上縁２６、並びに正面プレート２４の上縁２８の中間に位置する。レッジ７２は、レッジ７２の全長に沿うとともに開口部７５の全長に沿って等間隔で配置された一連の隆起部（ridge）７３を備える。
【００４０】
図１２、１３、１７を参照すると、支持部２０ｂの別の実施形態が示されている。支持部２０ｂは、第１端部２１ｂから第２端部２３ｂに延びる全体的に細長い部材である。支持部２０ｂは、第１端部２１ｂから第２端部２３ｂに延びる全体的に平坦で細長いベースプレート２２ｂと、壁などの表面１５ｂへの取付手段と、を備える。表面１５ｂへの取付手段は、図１３に示すように、一つ以上の締結具を貫通して受け入れる複数の開口部２８ｂを含む。ベースプレート２２ｂには、第１端部２１ｂから第２端部２３ｂに延びる細長い正面プレート２４ｂが取り付けられる。支持部２０ｂが表面１５ｂに取り付けられると、正面プレート２４ｂが表面１５ｂと反対側を向き、ベースプレート２２ｂが表面１５ｂの方を向く。ベースプレート２２ｂと正面プレート２４ｂは、表面１５ｂに支持部２０ｂが取り付けられたとき、ベースプレート２２ｂと正面プレート２４ｂが略水平方向に延びるように構成される。支持部２０ｂは、以下で説明するような態様で一つ以上の任意の容器４０ｂと結合するように構成された第１結合部７０ｂを備える。
【００４１】
第１結合部７０ｂは、第１端部２１ｂから第２端部２３ｂに支持部２０ｂに沿って連続的に延びる。この結果、支持部２０ｂが表面１５ｂに取り付けられると、第１結合部７０ｂが水平方向に連続的に延び、複数の水平方向に隣接する容器４０ｂと解放可能に接続される。第１結合部７０は、正面プレート２４ｂから直立する複数の水平方向に間隔を空けて配置された壁部材７１ｂを備える。壁部材７１ｂの隣接する組の間には、壁部材７１ｂの隣接する組の間に延びる一組の細長い支持部材７２ｂ、７４ｂがある。細長い支持部材７２ｂ、７４ｂは、壁部材７１ｂの隣接する組のそれぞれの両端に接続される。細長い支持部材７２ｂ、７４ｂはそれぞれ、壁部材７１ｂの隣接する組の間で略水平方向に延びる丸い支持面７３ｂ、７５ｂを備える。支持部材の一方７２ｂは、支持部材の他方７４ｂの垂直上方に配置され、上側の支持部材７２ｂの支持面７３ｂは、略凸面または外向き湾曲形状であり、全体として上向きである。下側の支持部材７４ｂの支持面７５ｂは、略凸面または外向き湾曲形状であり、全体として下向きである。支持部材７２ｂ、７４ｂは正面プレート２４ｂから間隔を空けて配置され、上側の支持部材７２ｂと正面プレート２４ｂとの間に上向き開口部７６ｂが設けられ、下側の支持部材７４ｂと正面プレート２４ｂとの間に下向き開口部７７ｂが設けられている。
【００４２】
図１８−２２を参照すると、支持部２０ｃの別の実施形態が示されている。支持部２０ｃは、第１端部２１ｃから第２端部２３ｃに延びる全体的に細長い部材である。支持部２０ｃは、第１端部２１ｃから第２端部２３ｃに延びる全体的に平坦で細長いベースプレート２２ｃと、壁などの表面１５ｃへの取付手段と、を備える。表面１５ｃに支持部２０ｃを取り付けるために、締結具、接着剤などの任意の適切な手段を利用することができる。ベースプレート２２ｃには、第１端部２１ｃから第２端部２３ｃに延びる細長い正面プレート２４ｃが取り付けられる。支持部２０ｃが表面１５ｃに取り付けられると、正面プレート２４ｃが表面１５ｃと反対側を向き、ベースプレート２２ｃが表面１５ｃの方を向く。ベースプレート２２ｃと正面プレート２４ｃは、表面１５ｃに支持部２０ｃが取り付けられたとき、ベースプレート２２ｃと正面プレート２４ｃが略水平方向に延びるように構成される。支持部２０ｃは、以下で説明するような態様で一つ以上の任意の容器４０ｃの第２結合部８０と結合するように構成された第１結合部７０ｃを備える。
【００４３】
第１結合部７０ｃは、第１端部２１ｃから第２端部２３ｃに支持部２０ｃに沿って連続的に延びる。この結果、支持部２０ｃが表面１５ｃに取り付けられると、第１結合部７０ｃが水平方向に連続的に延び、複数の水平方向に隣接する容器４０と解放可能に接続される。第１結合部７０ｃは、正面プレート２４ｃから直立する複数の水平方向に間隔を空けて配置された上部壁部材７１ｃおよび下部壁部材７３ｃを備える。上部壁部材７１ｃの隣接する組の間には、上部壁部材７１ｃの隣接する組の間に延びる一組の細長い上部支持部材７２ｃがある。下部壁部材７３ｃの隣接する組の間には、下部壁部材７３ｃの隣接する組の間に延びる一組の細長い下部支持部材７４ｃがある。細長い上下支持部材７２ｃ、７４ｃは、それぞれ上下壁部材７１ｃ、７３ｃの隣接する組の両端に接続される。細長い上下支持部材７２ｂ、７４ｂはそれぞれ、壁部材７１ｃ、７３ｃの隣接する組の間で略水平方向に延びる丸い支持面７５ｃ、７７ｃを備える。上部支持部材７２ｃは、下部支持部材７４ｃの垂直上方に配置される。上部支持部材７２ｃの支持面７５ｃは全体として上向きである。下部支持部材７４ｃの支持面７７ｃは全体として下向きである。支持部材７２ｃ、７４ｃは正面プレート２４ｃから間隔を空けて配置され、上部支持部材７２ｃと正面プレート２４ｃとの間に上向き開口部７６ｃが設けられ、下部支持部材７４ｃと正面プレート２４ｃとの間に下向き開口部７９ｃが設けられている。
【００４４】
図２、１４−１６を参照すると、容器４０はベース部４１と閉鎖部材４６とを備える。好適な形態では、工具容器４０は、取り外し可能な動力工具結合部材（図示せず）と、携帯型動力ドリルなどの携帯型動力工具をその内部に受け入れるように構成される。別の形態では、工具容器４０は、一体形成された動力工具結合部材とともに構成される。ベース部４１と閉鎖部材４６は、携帯型動力工具５の一つを内部に受け入れるように構成された実質的に中空の内部空間４３を有する全体的に箱形の部材を提供するように成形される。ベース部４１は、底壁５２と、底壁５２から直立する一組の対向する側壁５３、５５と、底壁５２から直立し側壁５３、５５の間に延びる一組の対向する端壁５４、５６と、を備える。ベース部４１の底壁５２、側壁５３、５５、端壁５４、５６は、内部空間４３の少なくとも一部を画成する。底壁５２は、支持部２０の結合ゾーン７０と接続するように構成される。したがって、支持部２０の結合ゾーン７０に底壁５２が接続されると、側壁５３、５５および端壁５４、５６が、支持部２０および表面１５から外向きに突出する。
【００４５】
閉鎖部材４６は、前壁６２と、前壁６２から直立する一組の対向する側壁６３、６５と、前壁６２から直立し側壁６３、６５の間に延びる一組の対向する端壁６４、６６と、を備える。閉鎖部材４６は、ベース部４１の上側端壁５４と閉鎖部材４６の上側端壁６４との間で、ヒンジ接続部６１によってベース部に対して枢動可能に接続される。ヒンジ６１は、開放位置と閉鎖位置との間でのベース部４１に対する閉鎖部材４６の枢動運動を容易にする。閉鎖部材４６が開放位置にあるとき、ベース部４１内に画成された内部空間４３の一部にアクセスすることができる。閉鎖部材４６が閉鎖位置にあるとき、前壁６２、対向する端壁６４、６６および対向する側壁６３、６５が、容器４０の内部空間４３の残りを画成する。また、閉鎖部材４６が閉鎖位置にあるとき、容器４０内の内部空間４３が包囲される。
【００４６】
図示しないが、工具容器４０は、取り外し可能な動力工具結合部材を受け入れるように構成されるか、または一体形成された動力工具結合部材を備えている。動力工具結合部材は、結合部材に対しておよび容器４０内の内部空間４３の容器に対して実質的に固定位置に動力工具を位置決めして動力工具を保持する態様で、動力工具を受け入れるように構成される。したがって、結合部材は、この目的に適した任意の適切な形態であってよい。結合部材は、筐体および動力工具結合面を備えることができる。結合面は、動力工具を受け入れるような形状にされた凹部を画成する。筐体は、ベースと、ベースに接続されベースから延びるフレームと、を備える。ベースおよびフレームは、動力工具を支持するという目的に適した剛性および／または強度を有する硬質ポリマー、準硬質ポリマーまたは金属材料などの任意の適切な材料で形成されてもよい。よって、結合部材は、耐久性のあるポリマーまたは金属材料で形成されてもよ。結合面は、全体的にフレーム内で凹んだ表面の形態をなしており、内部に配置される動力工具の外面、または動力工具の外面の少なくとも一部の形状に対応するまたは一致する形状を有する凹部または空洞を形成する。例えば、結合面は、携帯型動力ドリル型の動力工具の外面に一致するような形状であってもよい。理解されるように、携帯型動力ドリル以外のタイプの様々な動力工具の任意の一つに合わせて結合面を設計することができる。動力工具結合部材４０は、様々な携帯型動力ドリル、携帯型動力のこぎり、携帯型動力ねじ回し、携帯型ハンマードリル、携帯型アングルグラインダー、携帯型丸鋸、携帯型動力サンダー、トーチなどの発光デバイスやラジオなどの他の携帯型電気デバイス、または任意の他の携帯型および／または可搬の電気／電子デバイスのうち、任意の一つを受け入れる凹部を画成する結合面を備えるように構成されてもよい。
【００４７】
別の形態では、図示しないが、容器４０は、取り外し可能なデバイス結合部材を受け入れるように構成されるか、または一つ以上の手工具を受け入れるように構成された一体形成の結合部材を備えている。手工具は、一組のスパナ、レンチ、ねじ回し、ソケットレンチ、または任意の形態の手工具を含んでもよい。デバイス結合部材は、容器４０内の内部空間４３内に固定される態様で容器４０内に受け入れられてもよい。別の形態では、デバイス結合部材は、容器４０に対して移動し内部空間４３から出るようにスライドして手工具へアクセスできるようにする態様で、容器４０の内部空間４３内に受け入れられてもよい。
【００４８】
別の形態では、図示しないが、物品を収容するための取り外し可能な収納コンテナを受け入れる設備を、容器４０内の内部空間４３に備えていてもよい。このような収納コンテナは、携帯型動力工具などの工具用の締結具、ねじ、釘、工具ビット、スペアパーツ、アクセサリなどの物品を収納するように構成されてもよい。このような収納コンテナは、コンテナ部と、内部の物品とともにコンテナを閉じるための閉鎖部材と、を備えてもよい。
【００４９】
図１２−１６に示すように、容器４０は、ベース部４１の底壁５２から直立および突出する一つ以上のフランジ８５ａ、８５ｂの形態の第２結合部または接続部８０を備える。容器４０は、フランジ８５ａ、８５ｂの一方または両方を備えてもよい。フランジ８５ａ、８５ｂは、実質的に平坦な正面８６によって互いに間隔を空けて配置された、全体的にＬ字形またはフック形の部材である。第２結合部または接続部８０が第１結合部７０、７０ｂ、７０ｃと接続されると、フランジ８５ａ、８５ｂの一方が、支持部２０、２０ｂの第１結合部７０、７０ｂ、７０ｃによって受け入れられる。より詳細には、フランジ８５ａ、８５ｂの一方が第１結合部７０、７０ｂ、７０ｃの開口部７５、７６ｂ、７６ｃ内に受け入れられ、容器４０のベース部４１の正面８６が支持部２０、２０ｂ、２０ｃの正面プレート２４、２４ｂ、２４ｃと対面する。フランジ８５ａ、８５ｂの一方が開口部７５、７６ｂ、７６ｃ内に受け入れられると、フランジ８５ａ、８５ｂの内向きに湾曲した凹形またはフック形の部材８７ａ、８７ｂの形態の一つ以上の支持面係合面が、第１結合部７０、７０ｂ、７０ｃの上向き支持面７７、７３ｂ、７５ｃと係合し、これによって、支持面７７、７３ｂ、７５ｃ上で容器４０の重量の少なくとも一部を支持する。開口部７５、７６ｂ、７６ｃ内でフランジ８５ａ、８５ｂを係合すると、第１結合部７０、７０ｂ、７０ｃと係合した状態でフランジ８５ａ、８５ｂを保持し、これによって、支持部２０、２０ｂ、２０ｃの正面プレート２４、２４ｂ、２４ｃと向かい合ってベース部４１の底壁５２を保持する。
【００５０】
図１−１１の支持部２０の実施形態では、レッジ７２の全長に沿って等間隔に配置された隆起部７３の隣接する組が、その間にフランジの一方８５を受け入れて、第１結合部７０の全長に沿った所定の位置に容器４０を位置決めするように構成されている。
【００５１】
図１２、１３、１７の支持部２０ｂの実施形態では、複数の水平方向に間隔を空けて配置された壁部材７１ｂが、第１結合部７０ｂの全長に沿って等間隔に配置され、第１結合部７０の全長に沿った所定の位置でその間に容器４０の一つを受け入れるように構成されている。
【００５２】
図１８−２２の支持部２０ｃの実施形態では、複数の水平方向に間隔を空けて配置された上部壁部材７１ｃと下部壁部材７３ｃが、第１結合部７０ｃの全長に沿って等間隔に配置され、結合部７０ｃの全長に沿った所定の位置で、上下壁部材７１ｃ、７３ｃの隣接する組の間に容器４０の一つを受け入れるように構成されている。
【００５３】
支持部２０および／または容器４０は、ラッチが支持部２０と接続した容器４０を保持するように機能し、これによって支持部２０、２０ｂからの容器４０の離脱を防止している、作動状態のラッチ機構（図示せず）を備えてもよい。また、ラッチは、支持部２０、２０ｂから容器４０を分離して、支持部２０、２０ｂから離れた場所に容器４０を移動可能である、非作動状態を有している。
【００５４】
図１、４−８、１０、１１から分かるように、工具アクセサリ容器９０が容器４０に解放可能に接続されている。図７に示すように、工具アクセサリ容器９０は、取付部９２とアクセサリキャリア部材９４とを備える。取付部９２は、容器４０のベース部４１の端壁の一つ５６に解放可能に取付される。アクセサリキャリア部材９４は、一つまたは複数の内部アクセサリ保持凹部９６を有するトレイ部材である。図７に示すように、内部アクセサリ保持凹部９６は、内部に受け入れた動力工具５とともに使用する複数のアクセサリ９８の一つまたは複数を受け入れるように構成されており、工具アクセサリ容器９０が取り付けられた容器４０によって収容される。アクセサリ９８は、ドリル型の動力工具５とともに使用するドリルまたはねじ回しビットを含んでもよい。代替的に、アクセサリ９８は、ジグソー型の動力工具とともに使用する鋸刃であってもよい。別の形態では、アクセサリ９８は、アングルグラインダー型の動力工具５とともに使用する研磨ディスクまたは切削ディスクであってもよい。別の形態では、アクセサリ９８は、丸鋸型の動力工具５とともに使用する丸鋸刃であってもよい。
【００５５】
アクセサリキャリア部材９４は、取付部９２に滑動可能に接続され、図１に示す閉鎖位置と図７に示す開放位置との間で取付部９２に対してスライドする。図１に示す閉鎖位置では、アクセサリ保持凹部９６とその中に収容されたアクセサリ９８は、取付部９２によって包囲される。図７に示す開放位置では、アクセサリ保持凹部９６とその中に収容されたアクセサリ９８は、挿入または取り出しのためにアクセス可能となる。取付部９２は、取付部９２内に横方向に位置する細長いスロット９９内に滑動可能に取り付けられた複数の横方向ピン９７を備え、ピン９７の軸方向のスライドを容易にしている。これによって、閉鎖位置と開放位置の間での、取付部９２に対するアクセサリキャリア部材９４のスライド移動を容易にしている。工具アクセサリ容器９０は、閉鎖位置において取付部９２に対してアクセサリキャリア部材９４を解放可能に係止するよう機能する係止デバイス（図示せず）をさらに備えてもよい。
【００５６】
図５、１８−２２に示すように、収納システムは、支持部２０、２０ｃへの接続によって、表面１５、１５ｃへの接続によって、支持部２０、２０ｃと表面１５、１５ｃの両方への接続によって、または表面１５、１５ｃへの接続によって、支持部２０、２０ｃに対して解放可能に接続され、支持部に対して配置される、棚部材１００、１００ｃをさらに備えてもよい。棚部材１００、１００ｃは、全体的に細長いＬ字形部材である。棚部材１００、１００ｃが支持部２０、２０ｃおよび表面１５、１５ｃに対して取り付けられる場合、棚部材１００、１００は、略直立する平坦部材１０１、１０１ｃと、直立部材１０１、１０１ｃから略直角に延びる略水平方向の平坦部材１０２、１０２ｃとを備える。直立平坦部材１０１、１０１ｃは、支持部２０、２０ｃに対して棚部材１００、１００ｃを位置決めする機能を有する。水平平坦部材１０２、１０２ｃは、棚部材１００、１００ｃが支持部２０、２０ｃに対して取り付けられたとき、図１１に示すようなペンキ缶の形態または任意の他の物体の形態であるコンテナ１１０などの物品をその上に支持するように構成された、上部平坦面１０５、１０５ｃを有する。支持部２０、２０ｃに対して棚部材１００、１００ｃが取り付けられたとき、平坦支持面１０５、１０５ｃが実質的に水平方向となることが好ましい。
【００５７】
図３Ａ−３Ｅを参照すると、支持部２０の第１結合部７０は、ベースプレート２２の下縁２５と上縁２６の中間で正面プレート２４の下縁２９に位置する第２レッジ７２Ａを備えてもよい。第２レッジ７２Ａは、第２開口部７５Ａと第２支持面７７Ａとを備える。支持部２０が表面１５に取り付けられると、第２レッジ７２Ａ、第２開口部７５Ａおよび第２支持面７７Ａは、下向きに第１レッジ７２、第１開口部７５および第１支持面７７から垂直方向に間隔を空けて配置される。第２レッジ７２Ａ、第２開口部７５Ａおよび第２支持面７７Ａは、反対方向を向いている点を除き、第１レッジ７２、第１開口部７５および第１支持面７７と同様の構造を有している。第２レッジ７２Ａ、第２開口部７５Ａおよび第２支持面７７Ａは、第１レッジ７２、第１開口部７５および第１支持面７７に接続されていない、容器４０のフランジ８５ａ、８５ｂの他の一つを解放可能に接続するように構成される。こうして、容器４０が支持部２０に接続されると、フランジ８５ａ、８５ｂは、第１開口部７５および第２開口部７５Ａの中にそれぞれ受け入れられる。
【００５８】
第１結合部７０は、棚部材１００を取り付けるように構成されてもよい。したがって、一形態では、棚部材１００の直立部材１０１は、第１結合部７０の第２開口部７５Ａ内に受け入れられ第１結合部７０の第２支持面７７Ａと係合して棚部材１００の重量を支持するように構成されたフランジ（図示せず）を備えてもよい。代替的に、棚部材１００は、締結具を貫通して受け入れ棚部材１００を支持部２０または表面１５に取り付けるように構成された開口を、直立部材１０１の上部に備えてもよい。
【００５９】
図１２、１３、１７の支持部２０ｂの実施形態では、支持部２０ｂが表面１５に取り付けられたとき、下部支持部材７４ｂとその支持面７５ｂが、上部支持部材７２ｂとその支持面７３ｂから下向きに垂直方向に間隔を空けて配置される。下部支持部材７４ｂ、下向き開口部７７ｂおよび下側支持面７５ｂは、上部支持部材７２ｂ、上向き開口部７６ｂおよび上側支持面７３ｂに接続されていない、容器４０のフランジ８５ａ、８５ｂの他の一つを解放可能に接続するように構成される。こうして、容器４０が支持部２０ｂに接続されると、フランジ８５ａ、８５ｂは、上下開口部７６ｂ、７７ｂの中にそれぞれ受け入れられる。
【００６０】
図１８−２２の支持部２０ｃの実施形態では、支持部２０ｃが表面１５ｃに取り付けられたとき、下部支持部材７４ｃとその支持面７７ｃが、上部支持部材７２ｃとその支持面７５ｃから下向きに垂直方向に間隔を空けて配置される。下部支持部材７４ｃ、下向き開口部７９ｃおよび下側支持面７７ｃは、上部支持部材７２ｃ、上向き開口部７６ｃおよび上側支持面７５ｃに接続されていない、容器４０のフランジ８５ａ、８５ｂの他の一つを解放可能に接続するように構成される。こうして、容器４０の第２結合部８０を支持部２０ｃの第１結合部７０ｃに取り付けることによって、容器４０が支持部２０ｃに接続されると、フランジ８５ａ、８５ｂはそれぞれ、細長い上部支持部材７２ｃと下部支持部材７４ｃに係合する。フランジ８５ａ、８５ｂの一方の内向き湾曲凹部またはフック形部８７ａ、８７ｂの形態である支持面係合面の第１面は、第１結合部７０ｃの外向き湾曲凸型上向き支持面７５ｃと係合し、これによって、容器４０の重量の少なくとも一部を支持面７５ｃ上に支持する。内向き湾曲凹部またはフック形部８７ａ、８７ｂの形態である支持面係合面の第２面は、板金などの弾性のある屈曲可能な材料で形成されており、戻り止めを提供する。図１６を参照すると、内向き湾曲凹部またはフック形部８７ｂは、弾性のある屈曲可能な材料で形成されている。このため、内向き湾曲凹部またはフック形部８７ａが上向き支持面７５ｃと係合する位置にあるとき、弾性のある屈曲可能な内向き湾曲凹部またはフック形部８７ｂは、弾性屈曲して下部支持部材７４ｃの下向き支持面７７ｃと係合することができる。上向き支持面７５ｃと下向き支持面７７ｃの間の最大全体寸法は、第２結合部材８０の支持面係合面８７ａ、８７ｂの間の寸法よりも大きい。このため、第１結合部７０ｃと第２結合部８０の間の係合を実現するために、弾性のある屈曲可能な内向き湾曲凹部またはフック形部８７ｂの屈曲が必要になる。下部支持部材７４ｃの下向きの外向き湾曲凸型上向き支持面７７ｃとの、弾性のある屈曲可能な内向き湾曲凹部またはフック形部すなわち戻り止め８７ｂの係合および係合解除には、上部支持部材７２ｃの周りで上向きに容器４０を手で傾けて、屈曲可能な戻り止め８７ｂを屈曲させて、下部支持部材７４ｃの下向きの外向き湾曲凸型上向き支持面７７ｃとの係合または係合解除を行う必要がある。
【００６１】
図１０、１８、２０−２２に示すように、棚部材１００、１００ｃは、水平平坦部材１０２、１０２ｃの下面１０７、１０７ｃ上に位置し取り付けられた光源１０８、１０８ｃを備える。下面１０７、１０７ｃは、棚部材１００、１００ｃの水平平坦部材１０２、１０２ｃの平坦支持面１０５、１０５ｃの反対側にある。光源１０８、１０８ｃは、棚部材１００、１００ｃの下面１０７、１０７ｃから下向きおよび外向きに投光するように構成されており、棚部材１００、１００ｃから下方に位置する作業台または他の作業面に投光する。光源１０８、１０８ｃは、光源１０８、１０８ｃをオンオフするスイッチ装置に接続されてもよい。図１８−２２に示す実施形態では、光源１０８ｃは、棚部材１００ｃの下面１０７ｃに解放可能に接続される。光源１０８ｃは、棚部材１００ｃから取り外したときに、光源１０８ｃに電力を提供する充電可能なバッテリー電源（図示せず）を備えてもよい。棚部材１００ｃに取り付けられると、光源１０８ｃの電気コネクタ（図示せず）を主電源に接続することによって、光源１０８ｃのバッテリー電源を充電することができる。別の形態では、棚部材１００ｃは、平坦支持面１０５内に取り付けられた時計１０９を備えてもよい。図２１に示すように、棚部材１００ｃの下面１０７ｃは、一組の間隔を空けて配置された接続部材を有する一組の接続機能１３０ｃを備える。接続部材はそれぞれが細長いフランジを有しており、様々なデバイスをその間でスライド可能に受け入れることができる一組の対向する細長いフランジを提供する。デバイスは、クロックモジュール、モジュール式動力工具デバイスの動力制御モジュール、充電式動力工具の取り外し可能なバッテリーを充電する充電器などである。
【００６２】
図７、８、１８−２２に示すように、収納システム１０は、一つ以上の物品コンテナ１１０、１１０ｃをさらに備えてもよい。物品コンテナ１１０、１１０ｃは、水平平坦部材１０２、１０２ｃから垂れ下がる下向きに延びるレッジ部１０９、１０９ｃ内の複数の開口１０６、１０６ｃ内で棚部材１００、１００ｃに解放可能に接続されるように構成される。図７および８に示すように、物品コンテナ１１０はそれぞれ、水平平坦部材１０２の下面１０７に取り付けられるように構成された取付部１１５を備える。物品コンテナ１１０は、取付部１１５に滑動可能に取り付けられ、閉鎖位置と開放位置の間でスライドする物品キャリア部材１１７をさらに備える。閉鎖位置では、物品キャリア部材１１７内の一つ以上の物品保持凹部（図示せず）が包囲される。開放位置では、物品キャリア部材１１７内の一つ以上の物品保持凹部が露出し、物品キャリア部材１１７の物品保持凹部内に収容されている一つ以上の物品（図示せず）にアクセスできるようになる。このように、物品コンテナ１１０が容器４０ではなく棚部材１００に接続されるように構成されている点を除き、物品コンテナ１１０は、上述した工具アクセサリ容器９０と機能的に同様である。
【００６３】
図７−９、１８、１９に示すように、アセンブリは、支持部２０、２０ｃに解放可能に接続されるカバー１４０、１４０ｃをさらに備えてもよい。カバー１４０、１４０ｃは、固定部材１４２、１４２ｃとシャッタ部材１４４、１４４ｃとを備える。固定部材１４２、１４２ｃは全体的にＬ字形の断面を有する細長い部材であり、シャッタ部材１４４、１４４ｃも全体的にＬ字形の断面を有する細長い部材である。固定部材１４２、１４２ｃは、任意の適切な手段によって支持部２０、２０ｃに解放可能に取り付けられるように構成される。例えば、固定部材１４２、１４２ｃは、支持部２０の結合ゾーン７０に接続するように構成された接続部材（図示せず）を備えてもよいし、または、固定部材１４２、１４２ｃを支持部２０、２０ｃまたは表面１５、１５ｃに締結する締結具を受け入れるように構成された複数の開口（図示せず）を備えてもよい。固定部材１４２、１４２ｃは、支持部２０、２０ｃまたは表面１５、１５ｃに取り付けられたとき、垂直部材１４１、１４１ｃと、垂直部材１４１、１４１ｃから直角に延びる水平部材１４３、１４３ｃと、を備える。シャッタ１４４、１４４ｃは、第１部材１４５、１４５ｃと第２部材１４７、１４７ｃとを備える。第１および第２部材１４５、１４５ｃ、１４７、１４７ｃは、互いに直角に延びる。第１部材１４５、１４５ｃは、ヒンジ機構１４９、１４９ｃによって、固定部材１４２、１４２ｃの水平部材１４３、１４３ｃに枢動可能に取り付けられる。ヒンジ機構１４９、１４９ｃは、図７、８、１９に示す開放位置と、図９、１８に示す閉鎖位置との間での、固定部材１４２、１４２ｃに対するシャッタ１４４、１４４ｃの枢動運動を容易にする。カバー１４０、１４０ｃが支持部２０、２０ｃまたは表面１５、１５ｃに取り付けられると、固定部材１４２、１４２ｃの垂直部材１４１、１４１ｃが表面１５、１５ｃと対面し、水平部材１４３、１４３ｃが表面１５、１５ｃから水平方向に延びる。シャッタ１４４、１４４ｃが開放位置にあるとき、第１部材１４５、１４５ｃは、水平部材１４３、１４３ｃから略垂直方向または中心を越えて延びる。シャッタ１４４、１４４ｃが閉鎖位置にあるとき、第１部材１４５、１４５ｃは水平部材１４３、１４３ｃから略水平方向に延び、第２部材１４７、１４７ｃは、第１部材１４５、１４５ｃおよび水平部材１４３、１４３ｃから下向きに略垂直方向に延びる。閉鎖位置において、シャッタ１４４、１４４ｃは、支持部２０、２０ｃに解放可能に接続された一つ以上の容器４０を包囲し、容器４０へのアクセスと支持部２０、２０ｃからの離脱を防止する。シャッタ１４４、１４４ｃが開放位置にあるとき、支持部２０、２０ｃに接続された一つ以上の容器４０にアクセス可能となり、容器４０を支持部２０、２０ｃに接続したり取り外したりすることができる。
【００６４】
図１８、２０−２２に示すように、収納システム１０は、支持棚部材１００ｃに解放可能に接続される一つ以上の配電盤１２０ｃをさらに備えてもよい。詳細には、配電盤１２０ｃは、棚部材１００ｃの下面１０７ｃに解放可能に接続される。配電盤１２０ｃは、電動デバイスの一つ以上の電気プラグコネクタ（図示せず）に接続する複数の電気ソケット１２１ｃを備える。配電盤１２０ｃは、主電源に接続する電源リード線およびコネクタを備える。配電盤１２０ｃは、棚部材１００ｃの下面１０７ｃに接続された一組の回転係止接続部１２４ｃを受け入れる一組の開口１２２ｃも備える。回転接続部１２４ｃは、配電盤１２０ｃの開口１２２ｃを通して受け入れられ、棚部材１００ｃの下面１０７ｃから配電盤１２０ｃを係止または係止解除するように回転することができる。
【００６５】
別の形態では、図示しないが、収納システム１０は、インターネットに接続可能なコンピュータデバイスなどの電子デバイスをさらに備えてもよい。電子デバイスは、視覚ディスプレイと、ユーザがインターネットに接続してデータまたは情報にアクセスおよび／またはダウンロードしデータまたは情報を格納することができるようにするユーザ入力デバイスとを備える。電子デバイスは、中央処理装置、メモリまたはデータ格納装置、電子ディスプレイ、ユーザ入力装置などの、パーソナルコンピュータで典型的に見つかるハードウェアを備えてもよい。電子デバイスは、インターネットサービスプロバイダの無線インターネット接続、オンボードの無線モデムなどの無線ローカルエリアネットワークなどのブロードバンドネットワークに無線接続するための装置を備えてもよい。電子デバイスは、無線または固定ケーブルネットワークに接続する外部モデムに接続するための、ＵＳＢポートなどのポートを備えてもよい。電子デバイスは、上述した配電盤モジュール１２０およびオーディオモジュール１３０に類似したモジュールに組み込まれていてもよい。こうすれば、電子デバイスモジュールまたはコンピュータモジュールを、上述した配電盤モジュール１２０およびオーディオモジュール１３０と同様の方法で同様の手段を用いて支持部２０に解放可能に接続することが可能になる。電子デバイスモジュールまたはコンピュータモジュールは、ユーザがインターネットに接続しアクセスし、ユーザマニュアルや技術情報などの、収納システム１０に格納され収容されているデバイスに関連するインターネットで利用可能な情報をダウンロードし格納しアクセスすることができる点で有利である。一形態では、電子デバイスモジュールまたはコンピュータモジュールは、動力工具の使用方法および動力工具の関連用途に関連するインターネットで利用可能な情報にユーザがアクセスできるようにする。別の形態では、電子デバイスモジュールまたはコンピュータモジュールは、大工仕事、電気、配管、他の業界などの様々な業界の使用説明書や、家具製作、家の修繕などの様々な日曜大工プロジェクトを実行するための説明書などのインターネットで利用可能な他の情報にユーザがアクセスできるようにする。
【００６６】
図１２および１３に示すように、容器４０は、ベース部４１の上側端壁５４と下側端壁５６に取り付けられたハンドル４２を備える。ハンドル４２はベース部４１に枢動可能に取り付けられ、ユーザにより把持されて、支持部２０からの容器４０の取り外しと、支持部２０への容器４０の接続とを容易にするように構成されている。ハンドル４２は、支持部２０から容器４０を取り外したときに容器４０を運びやすくするように構成されている。
【００６７】
ベース部４１は、底壁５２、側壁５３、５５または端壁５４、５６のいずれかの内面に配置される、クリップ（図示せず）またはクリップ受け入れ部（図示せず）のいずれかを備える。クリップまたはクリップ受け入れ部はそれぞれ、ベース部４１によって画成された内部空間４３の一部の中に動力工具取付部の一つが配置されたときに、複数の交換可能な動力工具取付部（図示せず）のうち任意の一つのクリップ受け入れ部またはクリップを解放可能に接続するように構成される。このような動力工具取付部は、一つのタイプの動力工具の一部をその中に受け入れるような形状の部材である。したがって、このような取付部は、上述した態様で取付部がベース部４１に解放可能に接続されたとき、一つのタイプの動力工具の一部をぴったりと受け入れて、ベース部４１によって画成された容器４０の内部空間４３の一部の中で動力工具を実質的に保持するような形状にされている。こうして、結合部は、容器４０の内部空間４３の中に配置されたとき、動力工具５の移動または過度の移動を実質的に防止する。ベース部４１は、複数の交換可能な動力工具取付部のうち任意の一つのクリップ受け入れ部またはクリップとそれぞれ解放可能に接続するクリップまたはクリップ受け入れ部を備えているので、容器４０は、様々な動力工具５のうち任意の一つまたは複数を受け入れるための複数の動力工具結合部のうち、任意の一つまたは複数を受け入れることができる。
【００６８】
最後に、本発明の精神および範囲から逸脱することなく、上述した部品の構造および配置に対して、種々の変形、修正および／または追加を導入可能であることを理解し認めるべきである。
【図１】
2013520324.tif 000003
【図２】
2013520324.tif 000004
【図３Ａ】
2013520324.tif 000005
【図３Ｂ】
2013520324.tif 000006
【図３Ｃ】
2013520324.tif 000007
【図３Ｄ】
2013520324.tif 000008
【図３Ｅ】
2013520324.tif 000009
【図４】
2013520324.tif 000010
【図５】
2013520324.tif 000011
【図６】
2013520324.tif 000012
【図７】
2013520324.tif 000013
【図８】
2013520324.tif 000014
【図９】
2013520324.tif 000015
【図１０】
2013520324.tif 000016
【図１１】
2013520324.tif 000017
【図１２】
2013520324.tif 000018
【図１３】
2013520324.tif 000019
【図１４】
2013520324.tif 000020
【図１５】
2013520324.tif 000021
2013520324.tif 000022
【図１７】
2013520324.tif 000023
【図１８】
2013520324.tif 000024
【図１９】
2013520324.tif 000025
2013520324.tif 000026
2013520324.tif 000027
【図２２】
2013520324.tif 000028
【国際調査報告】
2013520324.tif 000029
2013520324.tif 000030